(57)【要約】【課題】  光結合部が異物によって傷ついた際に光結合部が容易に交換可能で、非接続時と、接続時と、非接続状態から接続状態への切り替え時と、接続状態から非接続状態への切り替え時とにおける光結合部への異物の入り込みを防止した高い封止性を有する内視鏡用光コネクタを提供すること。【解決手段】  内視鏡用光コネクタ２００は、第１の導波路３１１を内部に保持する第１の保持部材３１０と、第２の導波路４１１を内部に保持する第２の保持部材４１０と、交換導波路３２１，４２１が導波路３１１，４１１との間に介在し導波路３１１，４１１と光学的に結合するように、第１の保持部材３１０と第２の保持部材４１０との間に介在し、交換可能な交換部材３２０，４２０とを有する。また内視鏡用光コネクタ２００は、取付部材３３０，４３０と、保持部材３１０，４１０と交換部材３２０，４２０とを互いに位置決めする位置決め機構５００とをさらに有する。【選択図】      図２Ａ
2015049260.tif 000002
【特許請求の範囲】
【請求項１】
第１の導波路を内部に保持する第１の保持部材と、
第２の導波路を内部に保持する第２の保持部材と、
前記第１の導波路と前記第２の導波路とに光学的に結合する交換導波路を有し、前記交換導波路が前記第１の導波路と前記第２の導波路との間に介在し前記第１の導波路と前記第２の導波路とに光学的に結合するように、前記第１の保持部材と前記第２の保持部材との間に介在し、交換可能な交換部材と、
前記交換部材が前記第１の保持部材と前記第２の保持部材との少なくとも一方に取り付けられるように、前記交換部材を、前記交換部材が取り付けられる側に向かって押圧する取付部材と、
前記交換導波路が前記第１の導波路と前記第２の導波路とに光学的に結合するように、前記第１の保持部材と前記第２の保持部材と前記交換部材とを互いに位置決めする位置決め機構と、
を具備することを特徴とする内視鏡用光コネクタ。
【請求項２】
前記位置決め機構は、前記第１の保持部材側に配設され、前記第１の保持部材から突出する、または前記第１の保持部材に取り付けられている前記交換部材から突出する突出部を有し、
前記第１の保持部材側が前記第２の保持部材側に差し込まれるように、前記突出部は、前記第２の保持部材、または前記第２の保持部材に取り付けられている前記交換部材に挿入されることを特徴とする請求項１に記載の内視鏡用光コネクタ。
【請求項３】
前記交換部材の端面が前記交換導波路の端面と同一平面上に配設され、前記交換部材の前記端面が前記交換導波路の前記端面とが平滑されるように、前記交換部材が前記交換導波路を保持した状態で、前記交換部材の前記端面は前記交換導波路の前記端面と共に研磨可能となっていることを特徴とする請求項２に記載の内視鏡用光コネクタ。
【請求項４】
前記交換部材は、前記第１の保持部材と前記第２の保持部材との両方に取り付けられ、
前記第１の保持部材に取り付けられる第１の交換部材の長さは、前記第２の保持部材に取り付けられる第２の交換部材の長さよりも短く、
前記位置決め機構は、前記第１の導波路が前記第１の交換部材の第１の交換導波路と光学的に結合し、前記第２の導波路が前記第２の交換部材の第２の交換導波路と光学的に結合し、前記第１の交換導波路が前記第２の交換導波路と光学的に結合するように、前記第１の保持部材と前記第２の保持部材と前記第１の交換部材と前記第２の交換部材とを互いに位置決めし、
前記位置決め機構は、
前記第１の保持部材に配設されている第１の保持側挿入口部と、
前記第１の交換部材に配設されている第１の交換側挿入口部と、
前記第２の保持部材に配設されている第２の保持側挿入口部と、
前記第２の交換部材に配設されている第２の交換側挿入口部と、
前記第１の導波路が前記第１の交換導波路と光学的に結合している状態で、前記第１の交換導波路が前記第２の交換導波路と光学的に非結合する際、前記突出部として機能する第１の位置決め部材の先端部が前記第１の保持側挿入口部を介して前記第１の交換側挿入口部を貫通するように、前記第１の保持側挿入口部と前記第１の交換側挿入口部とに係合しており、前記第１の導波路が前記第１の交換導波路と光学的に結合している状態で、前記第１の交換導波路が前記第２の交換導波路と光学的に結合する際、前記第１の交換側挿入口部を貫通している前記先端部が前記第２の交換側挿入口部に挿入されるように、前記第１の保持側挿入口部と前記第１の交換側挿入口部と前記第２の交換側挿入口部とに係合する第１の位置決め部材と、
前記第２の導波路が前記第２の交換導波路と光学的に結合するように、前記第２の保持側挿入口部と前記第２の交換側挿入口部とに係合する第２の位置決め部材と、
を有することを特徴とする請求項３に記載の内視鏡用光コネクタ。
【請求項５】
前記第１の交換側挿入口部の長さをＴｍと称し、  
前記第１の保持側挿入口部から突出する前記突出部として機能する前記第１の位置決め部材の前記先端部の長さをＬｍと称し、  
前記第２の交換側挿入口部の長さをＴｆと称し、  
前記第２の保持側挿入口部から突出する前記第２の位置決め部材の突出部の長さをＬｆと称すると、
前記位置決め機構が前記第１の保持部材と前記第２の保持部材と前記第１の交換部材と前記第２の交換部材とを互いに位置決めする際、
Ｔｆ＞Ｌｆ＋Ｌｍ−Ｔｍ  と、
Ｌｍ＞Ｔｍ  と、
が成り立つことを特徴とする請求項４に記載の内視鏡用光コネクタ。
【請求項６】
前記交換部材は、前記第１の保持部材と前記第２の保持部材との両方に取り付けられ、
前記第１の保持部材に取り付けられる第１の交換部材の長さは、前記第２の保持部材に取り付けられる第２の交換部材の長さよりも短く、
前記位置決め機構は、前記第１の導波路が前記第１の交換部材の第１の交換導波路と光学的に結合し、前記第２の導波路が前記第２の交換部材の第２の交換導波路と光学的に結合し、前記第１の交換導波路が前記第２の交換導波路と光学的に結合するように、前記第１の保持部材と前記第２の保持部材と前記第１の交換部材と前記第２の交換部材とを互いに位置決めし、
前記位置決め機構は、
前記第１の保持部材に配設されている第１の保持側挿入口部と、
前記第１の交換部材に配設されている第１の交換側挿入口部と、
前記第２の保持部材に配設されている第２の保持側挿入口部と、
前記第２の交換部材に配設されている第２の交換側挿入口部と、
前記第１の導波路が前記第１の交換導波路と光学的に結合している状態で、前記第１の交換導波路が前記第２の交換導波路と光学的に非結合する際、前記突出部として機能する第１の位置決め部材の先端部が前記第１の保持側挿入口部を介して前記第１の交換側挿入口部を貫通するように、前記第１の保持側挿入口部と前記第１の交換側挿入口部とに係合しており、前記第１の導波路が前記第１の交換導波路と光学的に結合している状態で、前記第１の交換導波路が前記第２の交換導波路と光学的に結合し、前記第２の交換導波路が前記第２の導波路と光学的に結合する際、前記第１の交換側挿入口部を貫通している前記先端部が前記第２の交換側挿入口部を介して前記第２の保持側挿入口部に挿入されるように、前記第１の保持側挿入口部と前記第１の交換側挿入口部と前記第２の保持側挿入口部と前記第２の交換側挿入口部とに係合する第１の位置決め部材と、
を有することを特徴とする請求項３に記載の内視鏡用光コネクタ。
【請求項７】
前記第１の交換側挿入口部の長さをＴｍと称し、  
前記第１の保持側挿入口部から突出する前記突出部として機能する前記第１の位置決め部材の前記先端部の長さをＬｍと称し、  
前記第２の交換側挿入口部の長さをＴｆと称すると、  
前記位置決め機構が前記第１の保持部材と前記第２の保持部材と前記第１の交換部材と前記第２の交換部材とを互いに位置決めする際、
Ｌｍ＞Ｔｆ＋Ｔｍ  と、
Ｌｍ＞Ｔｍ  と、
が成り立つことを特徴とする請求項６に記載の内視鏡用光コネクタ。
【請求項８】
前記交換部材は、前記第１の保持部材に取り付けられ、
前記位置決め機構は、前記第１の導波路が前記交換部材の前記交換導波路と光学的に結合し、前記第２の導波路が前記交換部材の前記交換導波路と光学的に結合するように、前記第１の保持部材と前記第２の保持部材と前記交換部材とを互いに位置決めし、
前記位置決め機構は、
前記第１の保持部材に配設されている第１の保持側挿入口部と、
前記交換部材に配設されている交換側挿入口部と、
前記第２の保持部材に配設されている第２の保持側挿入口部と、
前記第１の導波路が前記交換導波路と光学的に結合している状態で、前記第２の導波路が前記交換導波路と光学的に非結合する際、前記突出部として機能する第１の位置決め部材の先端部が前記第１の保持側挿入口部を介して前記交換側挿入口部を貫通するように、前記第１の保持側挿入口部と前記交換側挿入口部とに係合しており、前記第１の導波路が前記交換導波路と光学的に結合している状態で、前記第２の導波路が前記交換導波路と光学的に結合する際、前記交換側挿入口部を貫通している前記先端部が前記第２の保持側挿入口部に挿入されるように、前記第１の保持側挿入口部と前記交換側挿入口部と前記第２の保持側挿入口部とに係合する第１の位置決め部材と、
を有することを特徴とする請求項３に記載の内視鏡用光コネクタ。
【請求項９】
前記交換側挿入口部の長さをＴｍと称し、  
前記第１の保持側挿入口部から突出する前記突出部として機能する前記第１の位置決め部材の前記先端部の長さをＬｍと称すると、  
前記位置決め機構が前記第１の保持部材と前記第２の保持部材と前記交換部材とを互いに位置決めする際、
Ｌｍ＞Ｔｍが成り立つことを特徴とする請求項８に記載の内視鏡用光コネクタ。
【請求項１０】
前記交換部材は、前記第２の保持部材に取り付けられ、
前記位置決め機構は、前記第１の導波路が前記交換部材の前記交換導波路と光学的に結合し、前記第２の導波路が前記交換部材の前記交換導波路と光学的に結合するように、前記第１の保持部材と前記第２の保持部材と前記交換部材とを互いに位置決めし、
前記位置決め機構は、
前記第１の保持部材に配設されている第１の保持側挿入口部と、
前記第２の保持部材に配設されている第２の保持側挿入口部と、
前記交換部材に配設されている交換側挿入口部と、
前記第１の導波路が前記交換導波路と光学的に非結合する際、前記突出部として機能する第１の位置決め部材の先端部が前記第１の保持側挿入口部を貫通するように、前記第１の保持側挿入口部に係合しており、前記第１の導波路が前記交換導波路と光学的に結合し、前記交換導波路が前記第２の交換導波路と光学的に結合する際、前記第１の保持側挿入口部を貫通している前記先端部が前記交換側挿入口部を介して前記第２の保持側挿入口部に挿入されるように、前記第１の保持側挿入口部と前記交換側挿入口部と前記第２の保持側挿入口部とに係合する第１の位置決め部材と、
を有することを特徴とする請求項３に記載の内視鏡用光コネクタ。
【請求項１１】
前記第１の保持側挿入口部から突出する前記突出部として機能する前記第１の位置決め部材の前記先端部の長さをＬｍと称し、  
交換側挿入口部の長さをＴｆと称すると、  
前記位置決め機構が前記第１の保持部材と前記第２の保持部材と前記交換部材とを互いに位置決めする際、
Ｌｍ＞Ｔｆが成り立つことを特徴とする請求項１０に記載の内視鏡用光コネクタ。
【請求項１２】
前記交換部材は、前記第２の保持部材に取り付けられ、
前記位置決め機構は、前記第１の導波路が前記交換部材の前記交換導波路と光学的に結合し、前記第２の導波路が前記交換部材の前記交換導波路と光学的に結合するように、前記第１の保持部材と前記第２の保持部材と前記交換部材とを互いに位置決めし、
前記位置決め機構は、
前記第１の保持部材に配設されている第１の保持側挿入口部と、
前記第２の保持部材に配設されている第２の保持側挿入口部と、
前記交換部材に配設されている交換側挿入口部と、
前記第１の導波路が前記交換導波路と光学的に非結合する際、前記突出部として機能する第１の位置決め部材の先端部が前記第１の保持側挿入口部を貫通するように、前記第１の保持側挿入口部に係合しており、前記第２の導波路が前記交換導波路と光学的に結合している状態で、前記第１の導波路が前記交換導波路と光学的に結合する際、前記第１の保持側挿入口部を貫通している前記先端部が前記交換側挿入口部に挿入されるように、前記第１の保持側挿入口部と前記交換側挿入口部とに係合する前記第１の位置決め部材と、
前記第２の導波路が前記第２の交換導波路と光学的に結合するように、前記第２の保持側挿入口部と前記第２の交換側挿入口部とに係合する第２の位置決め部材と、
を有することを特徴とする請求項３に記載の内視鏡用光コネクタ。
【請求項１３】
前記第１の保持側挿入口部から突出する前記突出部として機能する前記第１の位置決め部材の前記先端部の長さをＬｍと称し、  
交換側挿入口部の長さをＴｆと称し、  
前記第２の保持側挿入口部から突出する前記第２の位置決め部材の突出部の長さをＬｆと称すると、
前記位置決め機構が前記第１の保持部材と前記第２の保持部材と前記交換部材とを互いに位置決めする際、
Ｔｆ＞Ｌｆ＋Ｌｍ  と、
Ｌｍ＜Ｔｆ  と、
が成り立つことを特徴とする請求項１２に記載の内視鏡用光コネクタ。
【請求項１４】
前記交換部材は、前記交換部材の周面に形成され、前記取付部材の先端部が引っかかる引っ掛かり部を有することを特徴とする請求項１乃至請求項１３のいずれかに記載の内視鏡用光コネクタ。
【請求項１５】
前記引っ掛かり部は、前記交換導波路を中心に、点対称に配設されていることを特徴とする請求項１４に記載の内視鏡用光コネクタ。
【請求項１６】
前記引っ掛かり部は、溝部と突起部とのいずれか一方を有することを特徴とする請求項１５に記載の内視鏡用光コネクタ。
【請求項１７】
前記交換導波路は、光ファイバとテーパファイバとレンズとのいずれかを有することを特徴とする請求項１乃至請求項１６のいずれかに記載の内視鏡用光コネクタ。
【請求項１８】
前記取付部材は、前記取付部材の先端部に配設されており、前記交換部材に引っ掛かり、引っ掛かった際に、前記交換部材を、前記交換部材が取り付けられる側に向かって押圧する爪部を有することを特徴とする請求項１乃至請求項１７のいずれかに記載の内視鏡用光コネクタ。
【請求項１９】
前記爪部は、板バネ部を有することを特徴とする請求項１８に記載の内視鏡用光コネクタ。
【請求項２０】
前記取付部材は、前記交換部材が取り付けられる側に配設される導波路を中心に点対称に配設されるように、取り付けられる側に配設されていることを特徴とする請求項１乃至請求項１９のいずれかに記載の内視鏡用光コネクタ。
【請求項２１】
前記取付部材は、前記交換部材が取り付けられる側の周面に固定されている基端部を有することを特徴とする請求項１乃至請求項２０のいずれかに記載の内視鏡用光コネクタ。
【請求項２２】
前記交換導波路は、複数配設されていることを特徴とする請求項１乃至請求項２１のいずれかに記載の内視鏡用光コネクタ。
【請求項２３】
前記第１の保持部材側と前記第２の保持部材側との一方は、装置の差し込み口と、内視鏡のユニバーサルコードに配設され、前記差し込み口に差し込まれる接続コネクタとの一方に内蔵され、
前記第１の保持部材側と前記第２の保持部材側との他方は、前記差し込み口と前記接続コネクタとの他方に内蔵されていることを特徴とする請求項１乃至請求項２２のいずれかに記載の内視鏡用光コネクタ。
【発明の詳細な説明】
【技術分野】
【０００１】
本発明は、内視鏡の接続コネクタに配設されている第１の導波路と、接続コネクタが接続する光源装置の差し込み口に配設されている第２の導波路とを光学的にする結合する内視鏡用光コネクタに関する。
【背景技術】
【０００２】
光ファイバ同士を光学的に結合する光コネクタは、例えば特許文献１に開示されている。この光コネクタは、単心のコネクタタイプである。光コネクタにおいて、光ファイバの端部は通常状態で露出しており、端部が傷ついた際に端部は交換可能となっている。
【０００３】
各光コネクタは、一方の光ファイバを保持している本体部の元フェルールと、他方の光ファイバを保持している交換フェルールとを有している。本体部は、元フェルールを押圧するばねを有している。なお光コネクタ同士は、スリーブを内部に保持しているアダプタにより、光学的に接続する。  
一方の光コネクタが他方の光コネクタと非接続する際、一方の光コネクタにおいて、交換フェルールのフランジが外装に突き当たり、且つ元フェルールはバネによって交換フェルールに押圧される。これにより元フェルールと交換フェルールとには互いを押圧する押圧力が印加され、一方の光ファイバの端面と他方の光ファイバの端面とに互いを押圧する押圧力が印加される。この点は、他方の光コネクタ側についても同様である。  
また、一方の光コネクタが他方の光コネクタと接続する際、一方の光コネクタの交換フェルールは、スリーブの内部において、他方の光コネクタの交換フェルールに突き当たる。このとき一方の光コネクタにおいて、元フェルールは、交換フェルールと同軸上に配設されている。そして、元フェルールはバネによって交換フェルールに押圧される。これにより元フェルールと交換フェルールとには互いを押圧する押圧力が印加され、一方の光ファイバの端面と他方の光ファイバの端面とに互いを押圧する押圧力が印加される。この点は、他方の光コネクタ側についても同様である。また一方の光コネクタと他方の光コネクタとにおいて、交換フェルール同士は、元フェルールを介してバネによって互いを押圧する。よって、一方の交換フェルールにおける光ファイバと他方の交換フェルールにおける光ファイバとは、互いに直接的に光学的に結合する。  
前記した構成によって、一方の光コネクタが他方の光コネクタと非接続状態から接続状態へと推移する際において、押圧力が元フェルールと交換フェルールとの間に常に維持されることとなる。
【先行技術文献】
【特許文献】
【０００４】
【特許文献１】特許３８２５９３０号公報
【発明の概要】
【発明が解決しようとする課題】
【０００５】
特許文献１において、例えば一方の光コネクタがスリーブから引き抜かれる際、押圧力が交換フェルールと元フェルールとの間に常に維持されない虞が生じる。具体的には、一方の光コネクタが他方の光コネクタと接続されている状態から、一方の光コネクタがスリーブから引き抜かれると、バネが縮んだ状態で一方の光コネクタにおける交換フェルールと他方の光コネクタにおける交換フェルールとの押圧が解除される。この状態から、一方の光コネクタがさらに引き抜かれると、交換フェルールがスリーブから引き抜かれることとなる。これにより、一方の光コネクタにおける交換フェルールと元フェルールとには、互いに脱離する方向に力が働いてしまう。このときバネの押圧力は交換フェルールと元フェルールとには印加されないため、交換フェルールと元フェルールとの間には隙間が生じる虞がある。  
この点は、言い換えると、交換フェルールと元フェルールとにおける封止状態が一時的に解除されることを意味する。
【０００６】
そして光コネクタが、例えば内視鏡のような、例えば水分や汚れといった異物が周囲に多く存在する環境にて使用される医療用装置に用いられる場合、封止状態の一時的な解除は、異物が一方の光ファイバの端面と他方の光ファイバの端面との間に入り込んでしまうこととなる。結果として、光結合効率が低下してしまう。また入り込んだ異物は、一方の光ファイバの端面と他方の光ファイバの端面とを示す光結合部を傷つけ、結果として光結合効率が低下してしまう。  
つまり、封止状態の一時的な解除に伴う、異物の光結合部への入り込みは、光結合効率が低下する直接的な要因となるとともに、光結合部を傷つけることによって光結合効率が低下する間接的な要因となる。
【０００７】
よって、光結合部が異物によって傷ついた際に光結合部が容易に交換可能で、非接続時と、接続時と、非接続状態から接続状態への切り替え時と、接続状態から非接続状態への切り替え時とにおける光結合部への異物の入り込みを防止する高い封止性が求められている。
【０００８】
本発明は、これらの事情に鑑みてなされたものであり、光結合部が異物によって傷ついた際に光結合部が容易に交換可能で、非接続時と、接続時と、非接続状態から接続状態への切り替え時と、接続状態から非接続状態への切り替え時とにおける光結合部への異物の入り込みを防止した高い封止性を有する内視鏡用光コネクタを提供することを目的とする。
【課題を解決するための手段】
【０００９】
本発明は目的を達成するために、第１の導波路を内部に保持する第１の保持部材と、第２の導波路を内部に保持する第２の保持部材と、前記第１の導波路と前記第２の導波路とに光学的に結合する交換導波路を有し、前記交換導波路が前記第１の導波路と前記第２の導波路との間に介在し前記第１の導波路と前記第２の導波路とに光学的に結合するように、前記第１の保持部材と前記第２の保持部材との間に介在し、交換可能な交換部材と、前記交換部材が前記第１の保持部材と前記第２の保持部材との少なくとも一方に取り付けられるように、前記交換部材を、前記交換部材が取り付けられる側に向かって押圧する取付部材と、前記交換導波路が前記第１の導波路と前記第２の導波路とに光学的に結合するように、前記第１の保持部材と前記第２の保持部材と前記交換部材とを互いに位置決めする位置決め機構と、を具備することを特徴とする内視鏡用光コネクタを提供する。
【発明の効果】
【００１０】
本発明によれば、光結合部が異物によって傷ついた際に光結合部が容易に交換可能で、非接続時と、接続時と、非接続状態から接続状態への切り替え時と、接続状態から非接続状態への切り替え時とにおける光結合部への異物の入り込みを防止した高い封止性を有する内視鏡用光コネクタを提供することができる。
【図面の簡単な説明】
【００１１】
【図１】図１は、本発明の第１の実施形態に係る光コネクタを搭載する内視鏡装置の斜視図である。
【図２Ａ】図２Ａは、光コネクタの斜視図である。
【図２Ｂ】図２Ｂは、図２Ａに示す光コネクタの分解断面斜視図である。
【図２Ｃ】図２Ｃは、長さＴｍ，Ｌｍ，Ｔｆ，Ｌｆの関係を示す図であり、第１の導波路が第１の交換導波路と光学的に結合している状態で、第１の交換導波路が第２の交換導波路と光学的に非結合している状態を示す図である。
【図２Ｄ】図２Ｄは、図２Ｃに示す状態から第１の交換導波路が第２の交換導波路と光学的に結合した状態を示す図である。
【図３Ａ】図３Ａは、光コネクタの第１の変形例を示し、長さＴｍ，Ｌｍ，Ｔｆの関係を示す図であり、第１の導波路が第１の交換導波路と光学的に結合している状態で、第１の交換導波路が第２の交換導波路と光学的に非結合している状態を示す図である。
【図３Ｂ】図３Ｂは、図３Ａに示す状態から第１の交換導波路が第２の交換導波路と光学的に結合した状態を示す図である。
【図４Ａ】図４Ａは、光コネクタの第２の変形例を示し、長さＴｍ，Ｌｍの関係を示す図であり、第１の導波路が第１の交換導波路と光学的に結合している状態で、第１の交換導波路が第２の導波路と光学的に非結合している状態を示す図である。
【図４Ｂ】図４Ｂは、図４Ａに示す状態から第１の交換導波路が第２の導波路と光学的に結合した状態を示す図である。
【図５Ａ】図５Ａは、光コネクタの第３の変形例を示し、長さＬｍ，Ｔｆの関係を示す図であり、第１の導波路が第２の交換導波路と光学的に非結合している状態を示す図である。
【図５Ｂ】図５Ｂは、図５Ａに示す状態から第１の導波路が第２の交換導波路と光学的に結合した状態を示す図である。
【図６Ａ】図６Ａは、光コネクタの第４の変形例を示し、長さＬｍ，Ｔｆ，Ｌｆの関係を示す図であり、第１の導波路が第２の交換導波路と光学的に非結合している状態を示す図である。
【図６Ｂ】図６Ｂは、図６Ａに示す状態から第１の導波路が第２の交換導波路と光学的に結合した状態を示す図である。
【図７Ａ】図７Ａは、光コネクタの第５の変形例を示し、交換導波路がテーパファイバを有することを示す図である。
【図７Ｂ】図７Ｂは、光コネクタの第５の変形例を示し、交換導波路がレンズを有することを示す図である。
【図８】図８は、光コネクタの第６の変形例を示し、引っ掛かり部が突起部を有することを示す図である。
【発明を実施するための形態】
【００１２】
以下、図面を参照して本発明の実施形態について詳細に説明する。  
図１と図２Ａと図２Ｂと図２Ｃと図２Ｄとを参照して第１の実施形態について説明する。なお例えば図２Ｃにおいて第１の取付部材３３０の図示を省略するように、一部の図面では、図示の明瞭化のために、一部の部材の図示を省略している。
【００１３】
［内視鏡装置１００］  
図１に示すような内視鏡装置１００は、例えば検査室や手術室等などに配設される。図１に示すように、内視鏡装置１００は、患者等の体腔（管腔）内を撮像する内視鏡１０と、この内視鏡１０によって撮像された患者等の体腔内の画像を画像処理する画像処理装置１１０（例えばビデオプロセッサ）とを有している。また内視鏡装置１００は、画像処理装置１１０と接続され、内視鏡１０によって撮像され、画像処理装置１１０によって画像処理された患者等の体腔内の画像を表示する表示部１２０と、内視鏡１０から出射される照明光のために光を出射する光源装置１３０とをさらに有している。
【００１４】
内視鏡１０は、例えば体腔等の管腔に挿入される中空の細長い挿入部２０と、挿入部２０の基端部と連結し、内視鏡１０を操作する操作部３０と、操作部３０と接続し、操作部３０の側面から延出されているユニバーサルコード４１とを有している。
【００１５】
ユニバーサルコード４１は、画像処理装置１１０と光源装置１３０とに着脱可能な接続コネクタ４１ａを有している。接続コネクタ４１ａは、内視鏡１０と、各種装置（画像処理装置１１０、光源装置１３０）とを接続し、これらの間でデータが送受信されるために配設されている。  
接続コネクタ４１ａは、挿入部２０の先端部に配設される撮像ユニットを制御するために配設されている電気接続部と、送気送水のために配設されている送気送水用接続部と、光源装置１３０から出射される光のために配設されている内視鏡用光コネクタの一部とを有している。
【００１６】
画像処理装置１１０は、内視鏡１０と表示部１２０と光源装置１３０とを含む内視鏡装置１００の全体を制御する制御装置として機能する。  
画像処理装置１１０と光源装置１３０とは、互いに電気的に接続されている。これら画像処理装置１１０と光源装置１３０とは、接続コネクタ４１ａを介して内視鏡１０に対して着脱自在に接続される。
【００１７】
［内視鏡用光コネクタ（以下、光コネクタ２００）］  
図２Ａに示す光コネクタ２００は、接続コネクタ４１ａが差し込まれる光源装置１３０の差し込み口１３０ａ（図１参照）と、接続コネクタ４１ａの内部とに内蔵されている。
【００１８】
図２Ａと図２Ｂと図２Ｃとに示すように、光コネクタ２００は、第１の導波路３１１を内部に保持する第１の保持部材３１０と、第１の保持部材３１０に対して交換可能な第１の交換部材３２０と、例えば第１の交換部材３２０を第１の保持部材３１０に押圧して、第１の交換部材３２０を第１の保持部材３１０に取り付ける第１の取付部材３３０とを有している。
【００１９】
また図２Ａと図２Ｂと図２Ｃとに示すように、光コネクタ２００は、第２の導波路４１１を内部に保持する第２の保持部材４１０と、第２の保持部材４１０に対して交換可能な第２の交換部材４２０と、例えば第２の交換部材４２０を第２の保持部材４１０に押圧して、第２の交換部材４２０を第２の保持部材４１０に取り付ける第２の取付部材４３０とさらに有している。
【００２０】
また図２Ａと図２Ｂと図２Ｃと図２Ｄとに示すように、光コネクタ２００は、第１の導波路３１１が第１の交換部材３２０の第１の交換導波路３２１と光学的に結合し、第２の導波路４１１が第２の交換部材４２０の第２の交換導波路４２１と光学的に結合し、第１の交換導波路３２１が第２の交換導波路４２１と光学的に結合するように、第１の保持部材３１０と第２の保持部材４１０と第１の交換部材３２０と第２の交換部材４２０とを互いに位置決めする位置決め機構５００をさらに有している。
【００２１】
第１の交換部材３２０と第１の取付部材３３０とを含む第１の保持部材３１０側は、例えば、凸型であり、接続コネクタ４１ａが差し込まれる光源装置１３０の差し込み口１３０ａに内蔵されている。  
第２の交換部材４２０と第２の取付部材４３０とを含む第２の保持部材４１０側は、例えば、凹型であり、差し込み口１３０ａに差し込まれる接続コネクタ４１ａに内蔵されている。
【００２２】
第１の導波路３１１と第２の導波路４１１と第１の交換導波路３２１と第２の交換導波路４２１とは、互いに同数であればよい。第１の導波路３１１は、例えば少なくとも１本の光ファイバを有している。この点は、第２の導波路４１１と第１の交換導波路３２１と第２の交換導波路４２１とも同様である。これら導波路は、複数配設されていてもよい。第１の導波路３１１と第２の導波路４１１と第１の交換導波路３２１と第２の交換導波路４２１とが光ファイバを有する場合、光ファイバは単心であっても多心であってもよい。
【００２３】
［第１の保持部材３１０］  
第１の保持部材３１０は、例えば樹脂成形によって形成されたフェルールを有している。  
図２Ｂに示すように、第１の保持部材３１０は、第１の導波路３１１が挿入される挿入口部３１３と、位置決め機構５００の後述する第１の位置決め部材５０１が挿入される挿入口部３１５とを有している。
【００２４】
図２Ｂに示すように、挿入口部３１３は、第１の保持部材３１０の長手軸方向に沿って配設されており、長手軸方向において第１の保持部材３１０を貫通している。第１の導波路３１１がこの挿入口部３１３に挿入されて挿入口部３１３に例えば接着固定されることによって、第１の保持部材３１０は第１の導波路３１１を保持する。この挿入口部３１３は、例えば、第１の保持部材３１０の中央に配設されている。
【００２５】
図２Ｂに示すように、第１の保持部材３１０の端面が第１の導波路３１１の端面と同一平面上に配設され、第１の保持部材３１０の端面と第１の導波路３１１の端面とが平滑されるように、第１の保持部材３１０が第１の導波路３１１を保持した状態で、第１の保持部材３１０の端面は第１の導波路３１１の端面と共に例えば研磨可能となっている。この端面は、例えば、第１の交換部材３２０が取り付けられる側の面を示す。
【００２６】
図２Ｂに示すように、挿入口部３１５は、第１の保持部材３１０の長手軸方向に沿って配設されており、長手軸方向において第１の保持部材３１０を貫通している。この挿入口部３１５は、例えば、挿入口部３１３の両脇に配設されている。挿入口部３１５は、第１の導波路３１１を中心に点対称に例えば２つ配設されていればよい。樹脂成形によって第１の保持部材３１０が形成される際、挿入口部３１５は、挿入口部３１３に対して相対的に位置決めされるように、挿入口部３１３と同時に形成される。
【００２７】
［第１の交換部材３２０］  
図２Ａと図２Ｂとに示すように、第１の交換部材３２０の構成は、第１の保持部材３１０の構成と略同一であるため、詳細な説明は省略する。第１の導波路３１１に対応する導波路を第１の交換導波路３２１と称し、挿入口部３１３に対応する挿入口部を交換挿入口部３２３と称し、挿入口部３１５に対応する挿入口部を交換挿入口部３２５と称する。第１の交換部材３２０は、第１の導波路３１１と光学的に結合する第１の交換導波路３２１を第１の交換導波路３２１の内部に保持することとなる。第１の交換導波路３２１は第１の導波路３１１と同数配設されており、交換挿入口部３２３は挿入口部３１３と同数配設されており、交換挿入口部３２５は挿入口部３１５と同数配設されている。
【００２８】
樹脂成形によって第１の交換部材３２０が形成される際、交換挿入口部３２５は、交換挿入口部３２３に対して相対的に位置決めされるように、交換挿入口部３２３と同時に形成される。  
交換挿入口部３２３は、挿入口部３１３に対して相対的に位置決めされるように、形成される。また交換挿入口部３２５は、挿入口部３１５に対して相対的に位置決めされるように、形成される。  
なお第１の交換部材３２０は、第１の交換部材３２０の交換性を考慮して、第１の保持部材３１０とは別工程で形成されることが好適である。もちろん、第１の交換部材３２０と第１の保持部材３１０とが一体物として形成され、形成された後、分断されてもよい。
【００２９】
図２Ａと図２Ｂとに示すように、第１の保持部材３１０の断面積Ａ１と、第１の交換部材３２０の断面積Ａ２とにおいて、断面積Ａ１の形状は断面積Ａ２の形状と同一であり、断面積Ａ１の大きさは断面積Ａ２の大きさと同一である。断面積Ａ１は、第１の保持部材３１０の長手軸に対して垂直に第１の保持部材３１０を切断した面である。断面積Ａ２は、第１の保持部材３１０の長手軸と同軸上に配設されている第１の交換部材３２０の中心軸に対して垂直に第１の交換部材３２０を切断した面である。
【００３０】
第１の保持部材３１０の端面と同様に、第１の交換部材３２０の端面が第１の交換導波路３２１の端面と同一平面上に配設され、第１の交換部材３２０の端面と第１の交換導波路３２１の端面とが平滑されるように、第１の交換部材３２０が第１の交換導波路３２１を保持した状態で、第１の交換部材３２０の端面は第１の交換導波路３２１の端面と共に例えば研磨可能となっている。なお、この研磨は、光コネクタ２００の軸方向おける第１の交換部材３２０の両端面において可能である。この両端面は、第１の保持部材３１０の端面と当接する端面と、第２の交換部材４２０の端面と当接する端面とを有している。
【００３１】
そして、図２Ａと図２Ｂとに示すように、第１の交換部材３２０は、第１の交換部材３２０の平滑な端面が第１の保持部材３１０の平滑な端面に当接及び密着し、第１の導波路３１１が第１の交換導波路３２１と光コネクタ２００の軸方向において同一直線上に配設され、第１の導波路３１１が第１の交換導波路３２１と光学的に結合し、挿入口部３１５が光コネクタ２００の軸方向において交換挿入口部３２５と連通するように、第１の保持部材３１０に取り付けられる。
【００３２】
第１の保持部材３１０に取り付けられた第１の交換部材３２０において、第１の交換部材３２０は、光コネクタ２００の軸方向において第２の交換部材４２０と第１の保持部材３１０との間に介在する。
【００３３】
図２Ａと図２Ｂと図２Ｃと図２Ｄとに示すように、第１の交換部材３２０の長さは、第２の交換部材４２０の長さとは異なっており、本実施形態では第２の交換部材４２０の長さよりも短い。
【００３４】
第１の交換部材３２０の構成が第１の保持部材３１０の構成とは異なる点は、以下の通りである。  
図２Ａと図２Ｂとに示すように、第１の交換部材３２０は、第１の交換部材３２０の周面に形成され、第１の取付部材３３０の先端部が引っかかる第１の引っ掛かり部３２７を有している。第１の引っ掛かり部３２７は、第１の交換導波路３２１を中心に、点対称に配設されている。第１の引っ掛かり部３２７は、例えば第１の交換部材３２０の側面全周に渡って形成されている第１の溝部を有している。第１の溝部は、例えば凹形状の断面を有している。第１の溝部は、例えば、第１の交換部材３２０の側面に対して垂直に凹んでいる。
【００３５】
［第１の取付部材３３０］  
図２Ａと図２Ｂとに示すように、第１の取付部材３３０は、第１の交換部材３２０が取り付けられる側である第１の保持部材３１０に配設される第１の導波路３１１を中心に点対称に配設されるように、取り付けられる側である第１の保持部材３１０に配設されている。第１の取付部材３３０は、第１の導波路３１１を中心に点対称に配設されていればよい。第１の取付部材３３０は、第１の導波路３１１を四方から囲うように、第１の導波路３１１を中心に配設されていてもよい。第１の取付部材３３０は、第１の交換部材３２０が取り付けられる側である第１の保持部材３１０の各周面に例えば接着などによって固定されている基端部を有している。
【００３６】
第１の取付部材３３０は、第１の交換部材３２０が第１の保持部材３１０に取り付けられるように、第１の交換部材３２０を、取り付けられる側である第１の保持部材３１０に向かって押圧する。このため図２Ａと図２Ｂとに示すように、第１の取付部材３３０は、第１の取付部材３３０の先端部に配設されており、第１の交換部材３２０の第１の引っ掛かり部３２７に引っ掛かる第１の爪部３３１を有している。第１の爪部３３１は、前記したように第１の交換部材３２０が第１の保持部材３１０に取り付けられるように、第１の爪部３３１が第１の引っ掛かり部３２７に引っ掛かった際に、第１の交換部材３２０を、第１の交換部材３２０が取り付けられる側である第１の保持部材３１０に向かって押圧する押圧力を有している。押圧力は、光コネクタ２００の軸方向に作用する。第１の爪部３３１は、押圧力によって、第１の導波路３１１を含む第１の保持部材３１０の端面と第１の交換導波路３２１を含む第１の交換部材３２０の端面とを互いに密着させ、これら端面において封止状態を維持する。
【００３７】
図２Ａと図２Ｂとに示すように、第１の爪部３３１は、例えば、板バネ部を有している。第１の爪部３３１は、第１の引っ掛かり部３２７に引っ掛かるように、折り曲げられている一部を有している。この一部は、例えば、第１の取付部材３３０の軸方向に対して直交する方向に隆起するように形成されている。
【００３８】
［第２の保持部材４１０］  
図２Ａと図２Ｂとに示すように、第２の保持部材４１０の構成は、第１の保持部材３１０の構成と略同一であるため、詳細な説明は省略する。挿入口部３１３に対応する挿入口部を挿入口部４１３と称し、挿入口部３１５に対応する挿入口部を挿入口部４１５と称する。
【００３９】
［第２の交換部材４２０］  
図２Ａと図２Ｂとに示すように、第２の交換部材４２０の構成は、第１の交換部材３２０の構成と略同一であるため、詳細な説明は省略する。第１の交換導波路３２１に対応する交換導波路を第２の交換導波路４２１と称し、交換挿入口部３２３に対応する交換挿入口部を交換挿入口部４２３と称し、交換挿入口部３２５に対応する交換挿入口部を交換挿入口部４２５と称し、第１の引っ掛かり部３２７に対応する引っ掛かり部を第２の引っ掛かり部４２７と称し、第１の溝部に対応する溝部を第２の溝部と称する。
【００４０】
樹脂成形によって第２の交換部材４２０が形成される際、交換挿入口部４２５は、交換挿入口部４２３に対して相対的に位置決めされるように、交換挿入口部４２３と同時に形成される。  
交換挿入口部４２３は、挿入口部４１３に対して相対的に位置決めされるように、形成される。また交換挿入口部４２５は、挿入口部４１５に対して相対的に位置決めされるように、形成される。
なお第２の交換部材４２０は、第２の交換部材４２０の交換性を考慮して、第２の保持部材４１０とは別工程で形成されることが好適である。もちろん、第２の交換部材４２０と第２の保持部材４１０とが一体物として形成され、形成された後、分断されてもよい。
【００４１】
図２Ａと図２Ｂとに示すように、第２の保持部材４１０の断面積Ｂ１と、第２の交換部材４２０の断面積Ｂ２とにおいて、断面積Ｂ１の形状は断面積Ｂ２の形状と同一であり、断面積Ｂ１の大きさは断面積Ｂ２の大きさと同一である。また断面積Ｂ１の形状は断面積Ａ１の形状と同一であり、断面積Ｂ１の大きさは断面積Ａ１の大きさと同一である。断面積Ｂ１は、第２の保持部材４１０の長手軸に対して垂直に第２の保持部材４１０を切断した面である。断面積Ｂ２は、第２の保持部材４１０の長手軸と同軸上に配設されている第２の交換部材４２０の中心軸に対して垂直に第２の交換部材４２０を切断した面である。
【００４２】
第２の交換部材４２０の端面と同様に、第２の交換部材４２０の端面が第２の交換導波路４２１の端面と同一平面上に配設され、第２の交換部材４２０の端面と第２の交換導波路４２１の端面とが平滑されるように、第２の交換部材４２０が第２の交換導波路４２１を保持した状態で、第２の交換部材４２０の端面は第２の交換導波路４２１の端面と共に例えば研磨可能となっている。なお、この研磨は、光コネクタ２００の軸方向おける第２の交換部材４２０の両端面において可能である。この両端面は、第２の保持部材４１０の端面と当接する端面と、第１の交換部材３２０の端面と当接する端面とを有している。
【００４３】
そして、図２Ａと図２Ｂとに示すように、第２の交換部材４２０は、第２の交換部材４２０の平滑な端面が第２の保持部材４１０の平滑な端面に当接及び密着し、第２の導波路４１１が第２の交換導波路４２１と光コネクタ２００の軸方向において同一直線上に配設され、第２の導波路４１１が第２の交換導波路４２１と光学的に結合し、挿入口部４１５が光コネクタ２００の軸方向において交換挿入口部４２５と連通するように、第２の保持部材４１０に取り付けられる。
【００４４】
第２の保持部材４１０に取り付けられた第２の交換部材４２０において、第２の交換部材４２０は、光コネクタ２００の軸方向において第１の交換部材３２０と第２の保持部材４１０との間に介在する。
【００４５】
第２の保持部材４１０と第２の交換部材４２０との相対位置は、第１の保持部材３１０と第１の交換部材３２０との相対位置と略同一である。
【００４６】
［第２の取付部材４３０］  
図２Ａと図２Ｂとに示すように、第２の取付部材４３０の構成は、第１の取付部材３３０の構成と略同一であるため、詳細な説明は省略する。第１の爪部３３１に対応する爪部を第２の爪部４３１と称する。第２の取付部材４３０は、第１の取付部材３３０が第１の保持部材３１０に配設されている状態と略同様の状態で第２の保持部材４１０に配設されている。第２の取付部材４３０は、第１の取付部材３３０と略同様の機能を、第１の保持部材３１０に対する第１の取付部材３３０の作用と略同様に、第２の保持部材４１０に作用させる。
【００４７】
［位置決め機構５００］  
図２Ａと図２Ｂと図２Ｃと図２Ｄとに示すように、位置決め機構５００は、第１の保持側挿入口部である挿入口部３１５と、第１の交換側挿入口部である交換挿入口部３２５とを有している。また位置決め機構５００は、第２の保持側挿入口部である挿入口部４１５と、第２の交換側挿入口部である交換挿入口部４２５とをさらに有している。また位置決め機構５００は、挿入口部３１５と交換挿入口部３２５と交換挿入口部４２５とに係合する第１の位置決め部材５０１と、挿入口部４１５と交換挿入口部４２５とに係合する第２の位置決め部材５０３とを有している。第１の位置決め部材５０１は、例えばピンを有している。第２の位置決め部材５０３は、ピンを有している。
【００４８】
図２Ｃに示すように、第１の導波路３１１が第１の交換導波路３２１と光学的に結合している状態で、第１の交換導波路３２１が第２の交換導波路４２１と光学的に非結合する際、突出部として機能する第１の位置決め部材５０１の先端部が挿入口部３１５を介して交換挿入口部３２５を貫通するように、第１の位置決め部材５０１は挿入口部３１５と交換挿入口部３２５とに係合する。
【００４９】
また図２Ｄに示すように、第１の導波路３１１が第１の交換導波路３２１と光学的に結合している状態で、第１の交換導波路３２１が第２の交換導波路４２１と光学的に結合する際、交換挿入口部３２５を貫通している先端部が交換挿入口部４２５に挿入されるように、第１の位置決め部材５０１は挿入口部３１５と交換挿入口部３２５と交換挿入口部４２５とに係合する。
【００５０】
図２Ｃと図２Ｄとに示すように、第２の位置決め部材５０３は、第２の導波路４１１が第２の交換導波路４２１と光学的に結合するように、挿入口部４１５と交換挿入口部４２５とに係合する。
【００５１】
ここで、図２Ｃに示すように、  
交換挿入口部３２５の長さをＴｍと称し、  
挿入口部３１５から突出する突出部として機能する第１の位置決め部材５０１の先端部の長さをＬｍと称し、  
交換挿入口部４２５の長さをＴｆと称し、  
挿入口部４１５から突出する第２の位置決め部材５０３の突出部の長さをＬｆと称する。
【００５２】
図２Ｃと図２Ｄとに示すように、位置決め機構５００が第１の保持部材３１０と第２の保持部材４１０と第１の交換部材３２０と第２の交換部材４２０とを互いに位置決めする際、本実施形態では、以下の式（１），（２），（３），（４）が成り立つ。  
Ｔｆ＞Ｌｆ＋Ｌｍ−Ｔｍ  ・・・  式（１）  
Ｌｍ＞Ｔｍ  ・・・  式（２）  
Ｔｆ＞Ｌｆ  ・・・  式（３）  
Ｔｆ＞Ｔｍ  ・・・  式（４）
【００５３】
図２Ｃに示すように、第１の位置決め部材５０１は、挿入口部３１５と交換挿入口部３２５とに挿入され、これらと係合する。これにより、第１の位置決め部材５０１は、第１の導波路３１１が第１の交換導波路３２１と光学的に結合するように、第１の保持部材３１０と第１の交換部材３２０とを互いに位置決めする。このとき第１の位置決め部材５０１の先端部は、前記した式によって、交換挿入口部３２５から外部に突出している。
【００５４】
また図２Ｃに示すように、第２の位置決め部材５０３は、挿入口部４１５と交換挿入口部４２５とに挿入され、これらと係合する。これにより、第２の位置決め部材５０３は、第２の導波路４１１が第２の交換導波路４２１と光学的に結合するように、第２の保持部材４１０と第２の交換部材４２０とを互いに位置決めする。
【００５５】
また図２Ｄに示すように、第１の位置決め部材５０１の先端部は、交換挿入口部４２５に挿入され、交換挿入口部４２５と係合する。これにより、第１の位置決め部材５０１の先端部は、第１の導波路３１１と光学的に結合している第１の交換導波路３２１が第２の導波路４１１と光学的に結合している第２の交換導波路４２１と光学的に結合するように、第１の交換部材３２０が取り付けられている第１の保持部材３１０と、第２の交換部材４２０が取り付けられている第２の保持部材４１０とを互いに位置決めする。
【００５６】
［作用］  
［第１の保持部材３１０側の組み立て］  
図２Ｂに示すように、第１の保持部材３１０において、第１の導波路３１１は、挿入口部３１３に挿入され、挿入口部３１３に例えば接着固定される。これにより第１の保持部材３１０は、第１の導波路３１１を保持することとなる。  
前記した状態で、第１の保持部材３１０の端面は、第１の導波路３１１の端面と共に研磨される。この端面は、第１の交換部材３２０が取り付けられる側の面を示す。これにより、第１の保持部材３１０の端面は第１の導波路３１１の端面と同一平面上に配設され、第１の保持部材３１０の端面と第１の導波路３１１の端面とは平滑される。
【００５７】
図２Ｂに示すように、第１の交換部材３２０において、第１の交換導波路３２１は、交換挿入口部３２３に挿入され、交換挿入口部３２３に例えば接着固定される。これにより第１の交換部材３２０は、第１の交換導波路３２１を保持することとなる。  
前記した状態で、第１の交換部材３２０の端面は、第１の交換導波路３２１の端面と共に研磨される。この端面は、光コネクタ２００の軸方向おける第１の交換部材３２０の両端面を示し、第１の保持部材３１０の研磨された端面に対向する端面と、第２の保持部材４１０に研磨された端面に対向する端面とを示す。これにより、第１の交換部材３２０の端面が第１の交換導波路３２１の端面と同一平面上に配設され、第１の交換部材３２０の端面と第１の交換導波路３２１の端面とは平滑される。
【００５８】
図２Ａと図２Ｃとに示すように、第１の取付部材３３０は、第１の交換部材３２０の平滑な端面が第１の保持部材３１０の平滑な端面に当接及び密着し、第１の導波路３１１が第１の交換導波路３２１と光コネクタ２００の軸方向において同一直線上に配設され、第１の導波路３１１が第１の交換導波路３２１と光学的に結合し、挿入口部３１５が光コネクタ２００の軸方向において交換挿入口部３２５と連通するように、第１の交換部材３２０を第１の保持部材３１０に取り付ける。このとき第１の爪部３３１は、第１の引っ掛かり部３２７に引っ掛かり、第１の交換部材３２０を第１の保持部材３１０に向かって押圧する。これにより、第１の導波路３１１を含む第１の保持部材３１０の端面と、第１の交換導波路３２１を含む第１の交換部材３２０の端面とは、互いに密着するため、封止状態を維持される。
【００５９】
なお、前記したように、第１の保持部材３１０の断面積Ａ１と、第１の交換部材３２０の断面積Ａ２とにおいて、断面積Ａ１の形状は断面積Ａ２の形状と同一であり、断面積Ａ１の大きさは断面積Ａ２の大きさと同一である。また交換挿入口部３２３は、挿入口部３１３に対して相対的に位置決めされるように、形成される。このため、第１の導波路３１１は、第１の交換導波路３２１と光コネクタ２００の軸方向において同一直線上に配設されることが可能となる。また第１の導波路３１１は、第１の交換導波路３２１と光学的に結合することが可能となる。
【００６０】
これにより第１の交換部材３２０は第１の保持部材３１０に取りつけられ、第１の交換導波路３２１は第１の導波路３１１と光学的に結合する。
【００６１】
図２Ａと図２Ｂと図２Ｃとに示すように、第１の位置決め部材５０１は、挿入口部３１５から交換挿入口部３２５に向かって挿入される。そして第１の位置決め部材５０１は、突出部として機能する第１の位置決め部材５０１の先端部が挿入口部３１５を介して交換挿入口部３２５を貫通するように、挿入口部３１５と交換挿入口部３２５とに係合する。これにより、突出部として機能する第１の位置決め部材５０１の先端部は、第２の保持部材４１０側に向かって交換挿入口部３２５を貫通し、第１の交換部材３２０から外部に向かって露出する。
【００６２】
この場合、前記したように、第１の交換部材３２０は第１の保持部材３１０に取り付けられ、第１の導波路３１１は第１の交換導波路３２１と光学的に結合し、第１の交換部材３２０は第２の交換部材４２０に取り付けられておらず、第１の交換導波路３２１は第２の交換導波路４２１と光学的に非結合している。
【００６３】
第１の取付部材３３０と第１の位置決め部材５０１との配設の順序は、逆であってもよい。
【００６４】
このように第１の保持部材３１０側は、組み立てられる。そして組み立てられている第１の保持部材３１０側は、光源装置１３０の差し込み口１３０ａに内蔵される。
【００６５】
［第２の保持部材４１０側の組み立て］
第２の保持部材４１０については、前記した第１の保持部材３１０と略同様である。  
第２の交換部材４２０については、前記した第１の交換部材３２０と略同様である。  
第２の取付部材４３０については、前記した第１の取付部材３３０と略同様である。  
第２の取付部材４３０によって第２の交換部材４２０は第２の保持部材４１０に取りつけられ、第２の交換導波路４２１は第２の導波路４１１と光学的に結合する。
【００６６】
図２Ａと図２Ｂと図２Ｃとに示すように、第２の位置決め部材５０３は、挿入口部４１５から交換挿入口部４２５に向かって挿入される。そして第２の位置決め部材５０３は、第２の交換導波路４２１が第２の導波路４１１と光学的に結合するように、挿入口部４１５と交換挿入口部４２５とに係合する。第２の位置決め部材５０３の先端部は、交換挿入口部４２５を貫通せず、交換挿入口部４２５の内部に位置する。この場合、前記したように、第２の交換部材４２０は第２の保持部材４１０に取り付けられ、第２の導波路４１１は第２の交換導波路４２１と光学的に結合し、第１の交換部材３２０は第２の交換部材４２０に取り付けられておらず、第１の交換導波路３２１は第２の交換導波路４２１と光学的に非結合している。
【００６７】
第２の取付部材４３０と第２の位置決め部材５０３との配設の順序は、逆であってもよい。
【００６８】
このように第２の保持部材４１０側は、組み立てられる。そして組み立てられている第２の保持部材４１０側は、接続コネクタ４１ａに内蔵される。
【００６９】
［第１の保持部材３１０側と第２の保持部材４１０側との接続作業］  
本実施形態では、図２Ｃと図２Ｄとに示すように、以下の式（１），（２）が成り立つ。  
Ｔｆ＞Ｌｆ＋Ｌｍ−Ｔｍ  ・・・  式（１）  
Ｌｍ＞Ｔｍ  ・・・  式（２）
【００７０】
よって図２Ｃと図２Ｄとに示すように、接続コネクタ４１ａが差し込み口１３０ａに差し込まれることによって、交換挿入口部３２５を貫通して外部に露出している第１の位置決め部材５０１の先端部は、交換挿入口部４２５に挿入され、交換挿入口部４２５と係合する。これにより、第１の位置決め部材５０１の先端部は、第１の導波路３１１と光学的に結合している第１の交換導波路３２１が第２の導波路４１１と光学的に結合している第２の交換導波路４２１と光学的に結合するように、第１の交換部材３２０が取り付けられている第１の保持部材３１０と、第２の交換部材４２０が取り付けられている第２の保持部材４１０とを互いに位置決めする。そして、第１の交換部材３２０が第２の交換部材４２０と接続し、第１の保持部材３１０側は第２の保持部材４１０側と接続する。
【００７１】
そして、第１の交換導波路３２１の端面を含む第１の交換保持部材の端面が第２の交換導波路４２１を含む第２の交換部材４２０の端面と密着し、これら端面において封止状態が維持されるように、図示しない押圧機構は、光コネクタ２００の軸方向において、第１の保持部材３１０を第２の保持部材４１０に向かって押圧し、第２の保持部材４１０を第１の保持部材３１０に向かって押圧する。
【００７２】
［交換作業］  
内視鏡１０が使用された後、内視鏡１０は滅菌・消毒・洗浄される必要がある。このため、接続コネクタ４１ａは差し込み口１３０ａから抜去され、光コネクタ２００は非接続状態となる。また、内視鏡１０が使用される際、前記したように、接続コネクタ４１ａが差し込み口１３０ａに差し込まれ、光コネクタ２００は接続状態となる。
【００７３】
本実施形態とは異なり、第１の交換部材３２０と第２の交換部材４２０とが配設されておらず、第１の導波路３１１が第２の導波路４１１と光学的に結合するように、第１の保持部材３１０が第２の保持部材４１０と直接接続するとする。この場合、抜去が実施され、光コネクタ２００が非接続状態となると、例えば第１の導波路３１１と第２の導波路４１１とにおいて、封止状態が一時的に解除され、水分や汚れといった異物が第１の導波路３１１と第２の導波路４１１との間に入り込んでしまうこととなる。結果として、光結合効率が低下する虞が生じる。また入り込んだ異物は、第１の導波路３１１の端面と第２の導波路４１１の端面と示す光結合部を傷つけ、光結合効率が低下する虞が生じる。  
つまり、封止状態の一時的な解除に伴う、異物の光結合部への入り込みは、光結合効率が低下する直接的な要因となるとともに、光結合部を傷つけることによって光結合効率が低下する間接的な要因となる。  
また前記した抜去や差し込みが繰り返されると、光コネクタ２００が非接続状態から接続状態へ切り替えられ、または光コネクタ２００は接続状態から非接続状態へ切り替えられることとなる。この場合、光結合部である第１の導波路３１１の端面と、第１の導波路３１１のこの端面と同一平面上に配設されている第１の保持部材３１０の端面と、光結合部である第２の導波路４１１の端面と、第２の導波路４１１のこの端面と同一平面上に配設されている第２の保持部材４１０の端面とは、傷つく虞が生じる。また異物がこれら端面に付着する虞が生じる。これらは、光結合効率が低下する原因となりうる。
【００７４】
このような光結合効率の低下を解消する方法として、例えば、専用のクリーナーで前記した端面をクリーニングする方法、端面を研磨する方法などが挙げられる。しかしながら、第１の保持部材３１０側が差し込み口１３０ａに内蔵され、第２の保持部材４１０側が接続コネクタ４１ａに内蔵されることを考慮すると、例えば、差し込み口１３０ａを有する光源装置１３０を分解して、第１の保持部材３１０側を取り出すといった手間がかかる。また例えば第１の位置決め部材５０１が障害なり、前記した方法は第１の保持部材３１０側には適用できない。
【００７５】
しかしながら本実施形態では、第１の交換部材３２０と第２の交換部材４２０とが配設されている。
【００７６】
接続コネクタ４１ａが差し込み口１３０ａから抜去され、光コネクタ２００が非接続状態となる際、または接続コネクタ４１ａが差し込み口１３０ａに差し込まれ、光コネクタ２００が接続状態となる際、または前記した抜去や差し込みが繰り返され、光コネクタ２００が非接続状態から接続状態へ切り替えられ、または光コネクタ２００は接続状態から非接続状態へ切り替えられる際、第１の交換部材３２０は第１の保持部材３１０に常に取り付けられている。  
このため第１の導波路３１１と第１の交換導波路３２１とにおいて、封止状態は、解除されず、常に維持される。よって、異物が第１の導波路３１１と第１の交換導波路３２１との間に入り込むことは防止される。よって、光結合効率の低下は防止される。また第１の導波路３１１の端面と第１の交換導波路３２１の端面と示す光結合部は異物によって傷つかず、光結合効率の低下は防止される。  
また前記した抜去や差し込みが繰り返され、光コネクタ２００が非接続状態から接続状態へ切り替えられ、または光コネクタ２００は接続状態から非接続状態へ切り替えられたとしても、光結合部である第１の導波路３１１の端面と、第１の導波路３１１のこの端面と同一平面上に配設されている第１の保持部材３１０の端面と、光結合部である第１の交換部材３２０の端面と、第１の交換部材３２０のこの端面と同一平面上に配設されている第１の交換導波路３２１の端面とは、傷つかない。また水分や汚れといった異物がこれら端面に付着することも防止される。よって、第１の保持部材３１０と第１の交換部材３２０とにおいて、光結合効率の低下は防止される。  
この点は、第２の保持部材４１０と第２の交換部材４２０とについても同様である。
【００７７】
また接続コネクタ４１ａが差し込み口１３０ａから抜去され、光コネクタ２００が非接続状態となると、第１の交換部材３２０は第２の交換部材４２０と非接続する。この場合、例えば第１の交換導波路３２１と第２の交換導波路４２１とにおいて、封止状態が一時的に解除され、異物が第１の交換導波路３２１が第２の交換導波路４２１との間に入り込んでしまうこととなる。結果として、光結合効率が低下する虞が生じる。また入り込んだ異物は、第１の交換導波路３２１の端面と第２の交換導波路４２１の端面と示す光結合部を傷つけ、光結合効率が低下する虞が生じる。  
つまり、封止状態の一時的な解除に伴う、異物の光結合部への入り込みは、光結合効率が低下する直接的な要因となるとともに、光結合部を傷つけることによって光結合効率が低下する間接的な要因となる。  
また前記した抜去や差し込みが繰り返され、光コネクタ２００が非接続状態から接続状態へ切り替えられ、または光コネクタ２００は接続状態から非接続状態へ切り替えられると、光結合部である第１の交換導波路３２１の端面と、第１の交換導波路３２１のこの端面と同一平面上に配設されている第１の交換部材３２０の端面と、光結合部である第２の交換導波路４２１の端面と、第２の交換導波路４２１のこの端面と同一平面上に配設されている第２の交換部材４２０の端面とは、傷つく虞が生じる。また異物がこれら端面に付着する虞が生じる。これらは、光結合効率が低下する原因となりうる。
【００７８】
本実施形態では、この場合、例えば専用の冶具などが用いられ、第１の爪部３３１が冶具によって第１の引っ掛かり部３２７との引っ掛かりを解除される。そして、例えば異物が付着している端面を有する第１の交換部材３２０は、第１の保持部材３１０から取り外される。異物が付着している端面は、異物が除去されるように、例えば、専用のクリーナーでクリーニングされる。また端面が傷ついた場合、端面が平滑となるように、端面は研磨される。なお、新しい第１の交換部材３２０が第１の保持部材３１０に取り付けられてもよい。  
この点は、第２の交換部材４２０についても同様である。  
前記の内容は、第１の保持部材３１０側が差し込み口１３０ａに内蔵され、第２の保持部材４１０側が接続コネクタ４１ａに内蔵されることを考慮しても、例えば、差し込み口１３０ａを有する光源装置１３０を分解する必要がなく、第１の保持部材３１０側を取り出すといった手間が省かれる。また例えば第１の位置決め部材５０１が障害ならず、前記した方法を適用できる。
【００７９】
前記によって本実施形態では、光結合部である第１の交換導波路３２１の端面と第２の交換導波路４２１の端面とが異物によって傷ついた際に、光結合部が容易に交換可能となる。また本実施形態では、非接続時と、接続時と、非接続状態から接続状態への切り替え時と、接続状態から非接続状態への切り替え時とにおける光結合部への異物の入り込みを防止した高い封止性が実現される。
【００８０】
［効果］  
本実施形態では、第１の交換部材３２０と第２の交換部材４２０とによって、光結合部である第１の交換導波路３２１の端面と第２の交換導波路４２１の端面とが異物によって傷ついた際に、光結合部を容易に交換可能にできる。また本実施形態では、前記に伴い、非接続時と、接続時と、非接続状態から接続状態への切り替え時と、接続状態から非接続状態への切り替え時とにおける光結合部への異物の入り込みを防止した高い封止性を提供できる。
【００８１】
また本実施形態では、光結合部である第１の導波路３１１と第１の交換導波路３２１と、光結合部である第２の導波路４１１と第２の交換導波路４２１とにおいても前記を実施できる。
【００８２】
また本実施形態では、突出部として機能する第１の位置決め部材５０１の先端部は、第２の交換部材４２０の交換挿入口部４２５に挿入され、交換挿入口部４２５と係合する。よって本実施形態では、第１の保持部材３１０側と第２の保持部材４１０側とを容易に接続できる。
【００８３】
また本実施形態では、第１の保持部材３１０が第２の保持部材４１０と直接接続するのではなく、第１の保持部材３１０は第１の交換部材３２０と第２の交換部材４２０とを介して第２の保持部材４１０と接続する。このため、第１の保持部材３１０と第２の保持部材４１０とにおける非接続状態から接続状態への切り替え時と、接続状態から非接続状態への切り替え時とにおいて、第１の導波路３１１を含む第１の保持部材３１０の端面と第１の交換導波路３２１を含む第１の交換部材３２０の端面とが傷つくことや、これら端面に異物が付着することを、第１の交換部材３２０と第２の交換部材４２０とによって防止できる。
【００８４】
また本実施形態では、第１の保持部材３１０と第１の交換部材３２０と第２の保持部材４１０と第２の交換部材４２０とにおいて、各部材の端面は前記したように研磨可能である。これにより、本実施形態では、端面に異物が付着しても、研磨によって異物を除去でき、これら部材を再利用できる。よって、本実施形態では、コストを削減できる。
【００８５】
また本実施形態では、Ｔｆ＞Ｌｆ＋Ｌｍ−Ｔｍ・・・式（１）と、Ｌｍ＞Ｔｍ・・・式（２）とによって、第１の位置決め部材５０１の先端部を交換挿入口部３２５から確実に突出させることができ、先端部を確実に交換挿入口部４２５に挿入及び係合できる。
【００８６】
また本実施形態では、第１の引っ掛かり部３２７と第１の取付部材３３０とによって、第１の交換部材３２０を第１の保持部材３１０にずれることなく取り付けることができる。また第１の引っ掛かり部３２７と第１の取付部材３３０が第１の導波路３１１を中心に点対称に配設されている。よって、第１の交換部材３２０の端面の平面方向において、互いに向かい合う力が確実に作用し、第１の交換部材３２０が第１の保持部材３１０に対して平面方向にずれることを防止できる。また溝部と第１の爪部３３１という簡単な構成で、第１の交換部材３２０を第１の保持部材３１０にずれることなく取り付けることができる。また押圧力を有する第１の爪部３３１によって、第１の交換部材３２０を第１の保持部材３１０に確実に取り付けることができる。前記した点は、第２の引っ掛かり部４２７と第２の取付部材４３０とについても同様である。
【００８７】
また本実施形態では、第１の取付部材３３０の基端部が第１の交換部材３２０に固定されている。このため本実施形態では、第１の爪部３３１を含む第１の取付部材３３０の位置ずれを防止でき、第１の交換部材３２０の端面の平面方向において互いに向かい合う力を確実に作用できる。
【００８８】
また本実施形態のように、第２の保持部材４１０側が接続コネクタ４１ａに配設される状態を状態１とする。本実施形態とは逆に、第２の保持部材４１０側が光源装置１３０の差し込み口１３０ａに配設されている状態を状態２とする。通常、接続コネクタ４１ａを含む内視鏡１０は、滅菌・消毒・洗浄される。滅菌・消毒・洗浄が実施される際、状態１は、状態２に比べて、簡易にクリーニングできる。また状態１は、状態２に比べて、古い交換部材を新規の交換部材に簡単に交換できる。また交換挿入口部３２５に汚れが付いた場合、状態１は、状態２に比べて、汚れを除去する例えば超音波洗浄を交換挿入口部３２５に対して簡単に実施できる。
なお本実施形態では、第１の保持部材３１０側は、例えば、差し込み口１３０ａに内蔵されている。また第２の保持部材４１０側は、例えば、接続コネクタ４１ａに内蔵されている。しかし、これに限定する必要はない。  
第１の保持部材３１０側は、例えば、接続コネクタ４１ａに内蔵されていてもよい。この場合、第２の保持部材４１０側は、例えば、差し込み口１３０ａに内蔵される。  
このように、第１の保持部材３１０側と第２の保持部材４１０側との一方は差し込み口１３０ａと接続コネクタ４１ａとの一方に内蔵され、第１の保持部材３１０側と第２の保持部材４１０側との他方は差し込み口１３０ａと接続コネクタ４１ａとの他方に内蔵されていればよい。
【００８９】
［交換部材と取付部材と位置決め機構５００との配置の変形例］  
［交換部材］  
本実施形態では、第１の交換部材３２０が第１の保持部材３１０に取り付けられ、第２の交換部材４２０が第２の保持部材４１０に取り付けられているが、これに限定される必要はない。  
交換部材は、第１の導波路３１１と第２の導波路４１１とに光学的に結合する交換導波路を有していればよい。また交換部材は、第１の保持部材３１０と第２の保持部材４１０との少なくとも一方に対して交換可能となるように配設されていればよい。そして交換部材は、交換導波路が第１の導波路３１１と第２の導波路４１１との間に介在し第１の導波路３１１と第２の導波路４１１とに光学的に結合するように、第１の保持部材３１０と第２の保持部材４１０との間に介在していればよい。
【００９０】
より詳細には、交換部材は、光コネクタ２００の光結合部に少なくとも配設されていればよい。この光結合部は、少なくとも、第１の導波路３１１の端面と、第１の導波路３１１の端面と光学的に結合する第２の導波路４１１の端面とを含む。このため、交換部材の交換導波路が、光コネクタ２００の長手軸方向において第１の導波路３１１の端面と第２の導波路４１１の端面との間に介在するように、交換部材は、光コネクタ２００の長手軸方向において第１の保持部材３１０の端面とこの第１の保持部材３１０の端面と対向する第２の保持部材４１０の端面との間に介在していればよい。
【００９１】
［取付部材］  
前記した交換部材の配置に伴い、取付部材は、交換部材が第１の保持部材３１０と第２の保持部材４１０との少なくとも一方に取り付けられるように、交換部材を、交換部材が取り付けられる側、例えば第１の保持部材３１０に向かって押圧すればよい。
【００９２】
［位置決め機構５００］  
前記した交換部材の配置に伴い、位置決め機構５００は、交換導波路が第１の導波路３１１と第２の導波路４１１とに光学的に結合するように、第１の保持部材３１０と第２の保持部材４１０と交換部材とを互いに位置決めすればよい。
【００９３】
位置決め機構５００は、第１の保持部材３１０側に配設され、第１の保持部材３１０から突出する、または第１の保持部材３１０に取り付けられている交換部材から突出する突出部を有している。第１の保持部材３１０側が第２の保持部材４１０側に差し込まれるように、突出部は、第２の保持部材４１０、または第２の保持部材４１０に取り付けられている第２の交換部材４２０に挿入される。この突出部は、例えば第１の位置決め部材５０１の先端部を有する。
【００９４】
［交換部材と取付部材と位置決め機構５００との配置の具体的な例］  
交換部材と取付部材と位置決め機構５００との配置の具体的な例を下記に第１乃至第４の変形例として説明する。
【００９５】
［第１の変形例・図３Ａと図３Ｂとを参照］  
［構成］  
第１の実施形態と同様に、交換部材は、第１の保持部材３１０と第２の保持部材４１０との両方に取り付けられる。このため第１の取付部材３３０と第２の取付部材４３０と第１の引っ掛かり部３２７と第２の引っ掛かり部４２７とが第１の実施形態と同様に配設される。なお第１の取付部材３３０と第２の取付部材４３０と第１の引っ掛かり部３２７と第２の引っ掛かり部４２７とにおいて、これらの構成と作用とは第１の実施形態と同様であるため、本変形例における図示と説明とは省略する。
【００９６】
第１の実施形態と同様に、第１の保持部材３１０に取り付けられる第１の交換部材３２０の長さは、第２の保持部材４１０に取り付けられる第２の交換部材４２０の長さよりも短い。
【００９７】
第１の実施形態と同様に、位置決め機構５００は、第１の導波路３１１が第１の交換部材３２０の第１の交換導波路３２１と光学的に結合し、第２の導波路４１１が第２の交換部材４２０の第２の交換導波路４２１と光学的に結合し、第１の交換導波路３２１が第２の交換導波路４２１と光学的に結合するように、第１の保持部材３１０と第２の保持部材４１０と第１の交換部材３２０と第２の交換部材４２０とを互いに位置決めする。
【００９８】
図３Ａと図３Ｂとに示すように、位置決め機構５００は、挿入口部３１５と、交換挿入口部３２５と、挿入口部４１５と、交換挿入口部４２５と、挿入口部３１５と交換挿入口部３２５と挿入口部４１５と交換挿入口部４２５とに係合する第１の位置決め部材５０１とを有している。
【００９９】
図３Ａに示すように、第１の導波路３１１が第１の交換導波路３２１と光学的に結合している状態で、第１の交換導波路３２１が第２の交換導波路４２１と光学的に非結合する際、突出部として機能する第１の位置決め部材５０１の先端部が挿入口部３１５を介して交換挿入口部３２５を貫通するように、第１の位置決め部材５０１は挿入口部３１５と交換挿入口部３２５とに係合している。
【０１００】
なお本変形例では第１の実施形態のように第２の位置決め部材５０３は、配設されていない。このため図３Ａに示す状態において、本変形例では、図示しない第２の取付部材４３０が、第２の交換部材４２０の平滑な端面が第２の保持部材４１０の平滑な端面に当接及び密着し、第２の導波路４１１が第２の交換導波路４２１と光コネクタ２００の軸方向において同一直線上に配設され、第２の導波路４１１が第２の交換導波路４２１と光学的に結合し、挿入口部４１５が光コネクタ２００の軸方向において交換挿入口部４２５と連通するように、第２の交換部材４２０を第２の保持部材４１０に取り付ける。
【０１０１】
また図３Ｂに示すように、第１の導波路３１１が第１の交換導波路３２１と光学的に結合している状態で、第１の交換導波路３２１が第２の交換導波路４２１と光学的に結合し、第２の交換導波路４２１が第２の導波路４１１と光学的に結合する際、交換挿入口部３２５を貫通している第１の位置決め部材５０１の先端部が交換挿入口部４２５を介して挿入口部３１５に挿入されるように、第１の位置決め部材５０１は挿入口部３１５と交換挿入口部３２５と挿入口部４１５と交換挿入口部４２５とに係合する。
【０１０２】
ここで、  
交換挿入口部３２５の長さをＴｍと称し、  
挿入口部３１５から突出する突出部として機能する第１の位置決め部材５０１の先端部の長さをＬｍと称し、  
交換挿入口部４２５の長さをＴｆと称する。  
位置決め機構５００が第１の保持部材３１０と第２の保持部材４１０と第１の交換部材３２０と第２の交換部材４２０とを互いに位置決めする際、本実施形態では、以下の式（１１），（１２），（１３）が成り立つ。  
Ｌｍ＞Ｔｆ＋Ｔｍ  ・・・  式（１１）  
Ｌｍ＞Ｔｍ  ・・・  式（１２）  
Ｔｆ＞Ｔｍ  ・・・  式（１３）
【０１０３】
［効果］  
本変形例では、第２の位置決め部材５０３を省略できるため、構成と光コネクタ２００の組み立てとを簡素にできる。また本変形例では、第２の位置決め部材５０３を省略できるため、第２の交換部材４２０を素早く交換できる。
【０１０４】
［第２の変形例・図４Ａと図４Ｂとを参照］  
第１の実施形態とは異なり、交換部材は、第１の保持部材３１０のみに取り付けられる。このため第１の取付部材３３０と第１の引っ掛かり部３２７とが第１の実施形態と同様に配設される。なお第１の取付部材３３０と第１の引っ掛かり部３２７とにおいて、これらの構成と作用とは第１の実施形態と同様であるため、本変形例における図示と説明とは省略する。
【０１０５】
第１の実施形態とは異なり、位置決め機構５００は、第１の導波路３１１が第１の交換部材３２０の第１の交換導波路３２１と光学的に結合し、第２の導波路４１１が第１の交換部材３２０の第１の交換導波路３２１と光学的に結合するように、第１の保持部材３１０と第２の保持部材４１０と第１の交換部材３２０とを互いに位置決めする。
【０１０６】
図４Ａと図４Ｂとに示すように、第１の実施形態とは異なり、位置決め機構５００は、挿入口部３１５と、交換挿入口部３２５と、挿入口部４１５と、挿入口部３１５と交換挿入口部３２５と挿入口部４１５とに係合する第１の位置決め部材５０１とを有している。
【０１０７】
図４Ａに示すように、第１の導波路３１１が第１の交換導波路３２１と光学的に結合している状態で、第２の導波路４１１が第１の交換導波路３２１と光学的に非結合する際、突出部として機能する第１の位置決め部材５０１の先端部が挿入口部３１５を介して交換挿入口部３２５を貫通するように、第１の位置決め部材５０１は挿入口部３１５と交換挿入口部３２５とに係合している。
【０１０８】
また図４Ｂに示すように、第１の導波路３１１が第１の交換導波路３２１と光学的に結合している状態で、第２の導波路４１１が第１の交換導波路３２１と光学的に結合する際、交換挿入口部３２５を貫通している第１の位置決め部材５０１の先端部が挿入口部４１５に挿入されるように、第１の位置決め部材５０１は挿入口部３１５と交換挿入口部３２５と挿入口部４１５とに係合する。
【０１０９】
ここで、  
交換挿入口部３２５の長さをＴｍと称し、  
挿入口部３１５から突出する突出部として機能する第１の位置決め部材５０１の先端部の長さをＬｍと称する。  
位置決め機構５００が第１の保持部材３１０と第２の保持部材４１０と第１の交換部材３２０とを互いに位置決めする際、本実施形態では、以下の式（２１）が成り立つ。  
Ｌｍ＞Ｔｍ  ・・・  式（２１）  
【０１１０】
［効果］  
本変形例では、第２の交換部材４２０と第２の位置決め部材５０３とを省略できるため、構成と光コネクタ２００の組み立てとを簡素にできる。
【０１１１】
［第３の変形例・図５Ａと図５Ｂとを参照］  
第１の実施形態とは異なり、交換部材は、第２の保持部材４１０のみに取り付けられる。このため第２の取付部材４３０と第２の引っ掛かり部４２７とが第１の実施形態と同様に配設される。なお第２の取付部材４３０と第２の引っ掛かり部４２７とにおいて、これらの構成と作用とは第１の実施形態と同様であるため、本変形例における図示と説明とは省略する。
【０１１２】
第１の実施形態とは異なり、位置決め機構５００は、第１の導波路３１１が第２の交換部材４２０の第２の交換導波路４２１と光学的に結合し、第２の導波路４１１が第２の交換部材４２０の第２の交換導波路４２１と光学的に結合するように、第１の保持部材３１０と第２の保持部材４１０と第２の交換部材４２０とを互いに位置決めする。
【０１１３】
図４Ａと図４Ｂとに示すように、第１の実施形態とは異なり、位置決め機構５００は、挿入口部３１５と、挿入口部４１５と、交換挿入口部４２５と、挿入口部３１５と交換挿入口部４２５と挿入口部４１５とに係合する第１の位置決め部材５０１とを有している。
【０１１４】
図５Ａに示すように、第１の導波路３１１が第２の交換導波路４２１と光学的に非結合する際、突出部として機能する第１の位置決め部材５０１の先端部が挿入口部３１５を貫通するように、第１の位置決め部材５０１は挿入口部３１５に係合している。
【０１１５】
なお本変形例では第１の実施形態のように第２の位置決め部材５０３は、配設されていない。このため図５Ａに示す状態において、本変形例では、図示しない第２の取付部材４３０が、第２の交換部材４２０の平滑な端面が第２の保持部材４１０の平滑な端面に当接及び密着し、第２の導波路４１１が第２の交換導波路４２１と光コネクタ２００の軸方向において同一直線上に配設され、第２の導波路４１１が第２の交換導波路４２１と光学的に結合し、挿入口部４１５が光コネクタ２００の軸方向において交換挿入口部４２５と連通するように、第２の交換部材４２０を第２の保持部材４１０に取り付ける。
【０１１６】
また図５Ｂに示すように、第１の導波路３１１が第２の交換導波路４２１と光学的に結合し、第２の交換導波路４２１が第２の導波路４１１と光学的に結合する際、挿入口部３１５を貫通している第１の位置決め部材５０１の先端部が交換挿入口部４２５を介して挿入口部４１５に挿入されるように、第１の位置決め部材５０１は挿入口部３１５と交換挿入口部４２５と挿入口部４１５とに係合する。
【０１１７】
ここで、  
挿入口部３１５から突出する突出部として機能する第１の位置決め部材５０１の先端部の長さをＬｍと称し、  
交換挿入口部４２５の長さをＴｆと称する。  
位置決め機構５００が第１の保持部材３１０と第２の保持部材４１０と第２の交換部材４２０とを互いに位置決めする際、本変形例では、以下の式（３１）が成り立つ。  
Ｌｍ＞Ｔｆ  ・・・  式（３１）  
【０１１８】
［効果］  
本変形例では、第１の交換部材３２０と第２の位置決め部材５０３とを省略できるため、構成と光コネクタ２００の組み立てとを簡素にできる。また本変形例では、第２の位置決め部材５０３を省略できるため、第２の交換部材４２０を素早く交換できる。
【０１１９】
［第４の変形例・図６Ａと図６Ｂとを参照］  
第１の実施形態とは異なり、交換部材は、第２の保持部材４１０のみに取り付けられる。このため第２の取付部材４３０と第２の引っ掛かり部４２７とが第１の実施形態と同様に配設される。なお第２の取付部材４３０と第２の引っ掛かり部４２７とにおいて、これらの構成と作用とは第１の実施形態と同様であるため、本変形例における図示と説明とは省略する。
【０１２０】
第１の実施形態とは異なり、位置決め機構５００は、第１の導波路３１１が第２の交換部材４２０の第２の交換導波路４２１と光学的に結合し、第２の導波路４１１が第２の交換部材４２０の第２の交換導波路４２１と光学的に結合するように、第１の保持部材３１０と第２の保持部材４１０と第２の交換部材４２０とを互いに位置決めする。
【０１２１】
図６Ａと図６Ｂとに示すように、第１の実施形態とは異なり、位置決め機構５００は、挿入口部３１５と、挿入口部４１５と、交換挿入口部４２５と、挿入口部３１５と交換挿入口部４２５とに係合する第１の位置決め部材５０１と、挿入口部４１５と交換挿入口部４２５とに係合する第２の位置決め部材５０３とを有している。
【０１２２】
図６Ａに示すように、第１の導波路３１１が第２の交換導波路４２１と光学的に非結合する際、突出部として機能する第１の位置決め部材５０１の先端部が挿入口部３１５を貫通するように、第１の位置決め部材５０１は挿入口部３１５に係合している。
【０１２３】
また図６Ｂに示すように、第２の導波路４１１が第２の交換導波路４２１と光学的に結合している状態で、第１の導波路３１１が第２の交換導波路４２１と光学的に結合する際、挿入口部３１５を貫通している第１の位置決め部材５０１の先端部が交換挿入口部４２５に挿入されるように、第１の位置決め部材５０１は挿入口部３１５と交換挿入口部４２５とに係合する。
【０１２４】
図６Ａと図６Ｂとに示すように、第２の位置決め部材５０３は、第２の導波路４１１が第２の交換導波路４２１と光学的に結合するように、挿入口部４１５と交換挿入口部４２５とに係合する。
【０１２５】
ここで、  
挿入口部３１５から突出する突出部として機能する第１の位置決め部材５０１の先端部の長さをＬｍと称し、  
交換挿入口部４２５の長さをＴｆと称し、  
挿入口部４１５から突出する第２の位置決め部材５０３の突出部の長さをＬｆと称する。  
位置決め機構５００が第１の保持部材３１０と第２の保持部材４１０と第２の交換部材４２０とを互いに位置決めする際、本変形例では、以下の式（４１），（４２）が成り立つ。  
Ｔｆ＞Ｌｆ＋Ｌｍ  ・・・式（４１）  
Ｌｍ＜Ｔｆ  ・・・式（４２）  
【０１２６】
［効果］  
本変形例では、第１の交換部材３２０を省略できるため、構成と光コネクタ２００の組み立てとを簡素にできる。
【０１２７】
［その他の変形例］  
前記した交換部材３２０，４２０と取付部材３３０，４３０と位置決め機構５００との配置以外の変形例について、下記に記載する。
【０１２８】
［第５の変形例・図７Ａと図７Ｂとを参照］  
交換導波路３２１，４２１は、光ファイバと図７Ａに示すようなテーパファイバと図７Ｂに示すようなレンズとのいずれかを有していればよい。  
第１の交換導波路３２１に配設されているテーパファイバにおいて、テーパファイバの直径は、図７Ａに示すように、例えば、第２の交換部材４２０から第１の保持部材３１０に向かって徐々に小さくなっている。また第２の交換導波路４２１に配設されているテーパファイバにおいて、テーパファイバの直径は、図７Ａに示すように、例えば、第１の交換部材３２０から第２の保持部材４１０に向かって徐々に小さくなっている。  
図７Ｂに示すように、レンズは、例えば、レンズの中心部の屈折率が、レンズの周囲の屈折率に比べて大きくなっているＧＲＩＮレンズを有している。  
このように、交換導波路は、光学素子を有してればよい。
【０１２９】
［第６の変形例・図８参照］  
引っ掛かり部３２７，４２７は、突起部を有していてもよい。突起部は、例えば、交換部材３２０，４２０の側面と一体であり、側面から光コネクタ２００の側方に向かって垂直に突起している。
【０１３０】
このように、引っ掛かり部３２７，４２７は、溝部と突起部とのいずれか一方を有していればよい。なお溝部は、交換部材３２０，４２０の側面に対して垂直に凹む必要はなく、例えば傾斜していてもよい。
【０１３１】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【０１３２】
１０…内視鏡、２０…挿入部、３０…操作部、４１…ユニバーサルコード、４１ａ…接続コネクタ、１００…内視鏡装置、１３０…光源装置、１３０ａ…差し込み口、２００…内視鏡用光コネクタ、３１０…第１の保持部材、３１１…第１の導波路、３１３，３１５…挿入口部、３２０…第１の交換部材、３２１…第１の交換導波路、３２３，３２５…交換挿入口部、３２７…第１の引っ掛かり部、３３０…第１の取付部材、３３１…第１の爪部、４１０…第２の保持部材、４１１…第２の導波路、４１３，４１５…挿入口部、４２０…第２の交換部材、４２１…第２の交換導波路、４２３，４２５…交換挿入口部、４２７…第２の引っ掛かり部、４３０…第２の取付部材、４３１…第２の爪部、５００…位置決め機構、５０１…位置決め部材、５０３…位置決め部材。
【図１】
2015049260.tif 000003
【図２Ａ】
2015049260.tif 000004
【図２Ｂ】
2015049260.tif 000005
【図２Ｃ】
2015049260.tif 000006
【図２Ｄ】
2015049260.tif 000007
【図３Ａ】
2015049260.tif 000008
【図３Ｂ】
2015049260.tif 000009
【図４Ａ】
2015049260.tif 000010
【図４Ｂ】
2015049260.tif 000011
【図５Ａ】
2015049260.tif 000012
【図５Ｂ】
2015049260.tif 000013
【図６Ａ】
2015049260.tif 000014
【図６Ｂ】
2015049260.tif 000015
【図７Ａ】
2015049260.tif 000016
【図７Ｂ】
2015049260.tif 000017
【図８】
2015049260.tif 000018